(57)【要約】【課題】嵌合凹部内に水滴が浸入しても第１端子と第２端子とが短絡するのを防ぐ。【解決手段】ジャックコネクタ１は、ピンコンタクト２０とスリーブコンタクト３０が固定されたハウジング１０と、ハウジング１０に固定されたカバーハウジング４０と、嵌合凹部４５内に設けられ、ピンコンタクト２０を通す環状のシール部材５０とを有している。シール部材５０のピンコンタクト２０を取り囲む環状領域が、プラグコネクタ１１０のプラグ１１１が嵌合凹部４５に嵌合されたときに、プラグ１１１の先端面１１１ａと嵌合凹部４５を構成する面１０ａとの間において両者に押圧される。【選択図】図６
2010003442.tif 000002
【特許請求の範囲】
【請求項１】
絶縁性を有するハウジングと、
インサート成形によって前記ハウジングの内部に埋設される第１インサート部及び前記ハウジングの一表面から突出した第１突出部を有する第１端子と、
インサート成形によって前記ハウジングの内部に埋設される第２インサート部及び前記一表面から前記第１突出部の突出方向に突出した第２突出部を有し、前記第１端子と離隔して配置された第２端子と、
前記第１及び第２端子と電気的に接続されるプラグコネクタを嵌合可能な嵌合凹部を構成するように、前記ハウジングに固定された筒状のカバーハウジングと、
前記嵌合凹部内に設けられ、前記第１突出部を通す環状の第１シール部材とを備えており、
前記第１シール部材の前記第１突出部を取り囲む環状領域が、前記プラグコネクタが前記嵌合凹部に嵌合されたときに、当該プラグコネクタの先端部と前記嵌合凹部との間において両者に押圧されることを特徴とするジャックコネクタ。
【請求項２】
前記第１シール部材の少なくとも外周縁が、前記一表面と、前記カバーハウジングの前記一表面と対向する面との間に挟まれていることを特徴とする請求項１に記載のジャックコネクタ。
【請求項３】
前記環状領域には、頂部が前記第１突出部を取り囲むように連なった膨出部が形成されていることを特徴とする請求項１又は２に記載のジャックコネクタ。
【請求項４】
前記一表面と前記カバーハウジングの前記一表面と対向する面との間には、前記第１シール部材よりも外側に配置された環状の第２シール部材が配置されていることを特徴とする請求項１〜３のいずれか１項に記載のジャックコネクタ。
【請求項５】
前記カバーハウジングの外周面には、環状の第３シール部材が設けられていることを特徴とする請求項１〜４のいずれか１項に記載のジャックコネクタ。
【請求項６】
前記第２端子の第２突出部には、前記プラグコネクタが前記嵌合凹部に嵌合されたときに、当該プラグコネクタの外周面と当接することによってその外周面を前記第１端子に近づく方向に付勢する弾性片が形成されていることを特徴とする請求項１〜５のいずれか１項に記載のジャックコネクタ。
【請求項７】
前記第２端子が、前記一表面から突出する前記第２突出部を少なくとも２つ有しており、
２つの前記第２突出部が、前記第１端子の突出部を挟んで互いに対向する位置に配置されていることを特徴とする請求項６に記載のジャックコネクタ。
【請求項８】
前記カバーハウジングの内周面には、前記弾性片が前記内周面から突出した状態で前記第２突出部がそれぞれ配置される２つの溝が形成されていることを特徴とする請求項７に記載のジャックコネクタ。
【請求項９】
２つの前記第２突出部及び前記２つの溝が、水平方向に沿って互いに対向する位置に配置されていることを特徴とする請求項８に記載のジャックコネクタ。
【発明の詳細な説明】
【技術分野】
【０００１】
本発明は、プラグコネクタと嵌合することによってプラグコネクタと電気的に接続されるジャックコネクタに関する。
【背景技術】
【０００２】
特許文献１には、プラグコネクタとジャックとが接続されたときのＤＣプラグコネクタの接続構造が記載されている。このプラグコネクタにおいては、モールド部の先端に形成された溝に嵌合された環状のスリーブを有している。スリーブは可撓性材料からなり、先端方向に広がる円錐形状を有している。そして、プラグコネクタとジャックとを接続した際に、ジャックを支持するケースにスリーブの先端が密着することによって、プラグとジャックとの接続部分が外部から密閉される。これにより、プラグコネクタとジャックとを接続した後に水滴がプラグコネクタ及びケースの接触部分の周りについても、その接触部分から内部に入り込まず、当該接続部分を防水することができる。
【０００３】
【特許文献１】特開平８−３３９８６３号公報
【発明の開示】
【発明が解決しようとする課題】
【０００４】
しかしながら、上記特許文献１に記載の技術においては、プラグコネクタをジャックに接続するときであってスリーブがケースに密着するまでは、ジャック内に水滴が入り込むのを防ぐことができない。すなわち、ユーザが濡れた手でプラグコネクタを持ってジャックに差し込むときに、手に付いた水滴が不意にジャック内に入ることがある。ジャック内に水滴が入った状態で両者を接続するとジャックのピンジャックとアース端子とが短絡するという問題が生じる。
【０００５】
そこで、本発明の目的は、嵌合凹部内に水滴が浸入しても第１端子と第２端子とが短絡するのを防ぐジャックコネクタを提供することである。
【課題を解決するための手段及び発明の効果】
【０００６】
本発明のジャックコネクタは、絶縁性を有するハウジングと、インサート成形によって前記ハウジングの内部に埋設される第１インサート部及び前記ハウジングの一表面から突出した第１突出部を有する第１端子と、インサート成形によって前記ハウジングの内部に埋設される第２インサート部及び前記一表面から前記第１突出部の突出方向に突出した第２突出部を有し、前記第１端子と離隔して配置された第２端子と、前記第１及び第２端子と電気的に接続されるプラグコネクタを嵌合可能な嵌合凹部を構成するように、前記ハウジングに固定された筒状のカバーハウジングと、前記嵌合凹部内に設けられ、前記第１突出部を通す環状の第１シール部材とを備えている。そして、前記第１シール部材の前記第１突出部を取り囲む環状領域が、前記プラグコネクタが前記嵌合凹部に嵌合されたときに、当該プラグコネクタの先端部と前記嵌合凹部との間において両者に押圧される。
【０００７】
これによると、プラグコネクタが嵌合凹部に嵌合されたときに、第１シール部材の環状領域がプラグコネクタの先端部と嵌合凹部とに押圧されるので、第１端子と第２端子との間をシールすることができる。そのため、プラグコネクタを嵌合凹部に嵌合するときに、嵌合凹部内に水滴が浸入しても第１端子と第２端子とが導通して短絡するのを防ぐことができる。
【０００８】
本発明において、前記第１シール部材の少なくとも外周縁が、前記一表面と、前記カバーハウジングの前記一表面と対向する面との間に挟まれていることが好ましい。これにより、第１シール部材が嵌合凹部から抜け落ちにくくなる。
【０００９】
また、本発明において、前記環状領域には、頂部が前記第１突出部を取り囲むように連なった膨出部が形成されていることが好ましい。これにより、第１端子と第２端子との間のシール性が向上する。
【００１０】
また、本発明において、前記一表面と前記カバーハウジングの前記一表面と対向する面との間には、前記第１シール部材よりも外側に配置された環状の第２シール部材が配置されていることが好ましい。これにより、嵌合凹部内に浸入した水滴がハウジングとカバーハウジングとの間からジャックコネクタを取り付けた筐体内に浸入するのを防止することができる。
【００１１】
また、本発明において、前記カバーハウジングの外周面には、環状の第３シール部材が設けられていることが好ましい。これにより、ジャックコネクタを取り付ける筐体とジャックコネクタとの間から筐体内に水滴が浸入するのを防止することができる。
【００１２】
また、本発明において、前記第２端子の第２突出部には、前記プラグコネクタが前記嵌合凹部に嵌合されたときに、当該プラグコネクタの外周面と当接することによってその外周面を前記第１端子に近づく方向に付勢する弾性片が形成されていることが好ましい。これにより、プラグコネクタが嵌合凹部に嵌合されたときに、弾性片の付勢力によって嵌合凹部からプラグコネクタが抜けにくくなる。
【００１３】
また、このとき、前記第２端子が、前記一表面から突出する前記第２突出部を少なくとも２つ有しており、２つの前記第２突出部が、前記第１端子の突出部を挟んで互いに対向する位置に配置されていてもよい。これにより、プラグコネクタに対する弾性片による付勢力を維持したまま突出部を小さくすることができる。そのため、ジャックコネクタ自体を小さくすることが可能となる。
【００１４】
また、このとき、前記カバーハウジングの内周面には、前記弾性片が前記内周面から突出した状態で前記第２突出部がそれぞれ配置される２つの溝が形成されていてもよい。これにより、カバーハウジングを小型化することができる。
【００１５】
また、このとき、２つの前記第２突出部及び前記２つの溝が、水平方向に沿って互いに対向する位置に配置されていてもよい。これにより、嵌合凹部内に水滴が浸入しても溝に溜まりにくくなる。
【発明を実施するための最良の形態】
【００１６】
以下、本発明の好適な実施の形態について、図面を参照しつつ説明する。
【００１７】
図１は、本発明の第１実施形態によるジャックコネクタの外観斜視図である。図２は、図１に示すカバーハウジングとハウジングとを分離したときの斜視図である。図３は、図１に示すジャックコネクタの分解斜視図である。図４は、図１に示すジャックコネクタの断面図である。図５は、図１に示すジャックコネクタをピンコンタクトの軸周り方向に９０°回転させたときの断面図である。
【００１８】
ジャックコネクタ１は、図１及び図２に示すように、絶縁性を有する合成樹脂からなるハウジング１０と、ハウジング１０に固定された金属製のピンコンタクト（第１端子）２０及びスリーブコンタクト（第２端子）３０と、絶縁性を有する合成樹脂からなる筒状のカバーハウジング４０とを含んでいる。なお、ピンコンタクト２０は、後述のプラグコネクタ１１０の内側導体１１５と接続され電源電圧をジャックコネクタ１が取り付けられた電気機器（不図示）に供給する。また、スリーブコンタクト３０は、プラグコネクタ１１０の外側導体１１６と接続され接地電圧を電気機器に供給する。
【００１９】
ハウジング１０は略直方体形状を有しており、その上面には２つの溝１１が形成されている。各溝１１の底面には上方に突出した突起１２が形成されている。なお、ハウジング１０の下面にも、上面と同様に２つの溝１１が形成され、各溝１１の底面には下方に突出した突起１２が形成されている。ハウジング１０の中央には、上下方向に貫通した貫通部１３が形成されている。
【００２０】
ハウジング１０のカバーハウジング４０と対向する面（一表面）１０ａには、図３に示すように、環状の溝１５が形成されている。溝１５は、図２に示すように、面１０ａの外周縁近傍であってピンコンタクト２０及びスリーブコンタクト３０を取り囲む位置に形成されている。溝１５には、図２に示すように、環状のシール部材（第２シール部材）１６が配置されている。シール部材１６はゴムなどの弾性材料からなる。
【００２１】
ピンコンタクト２０は円柱形状を有しており、その中心軸がハウジング１０の中心を通るように配置されている。また、ピンコンタクト２０は、図３に示すように、インサート成形によってハウジング１０の内部に埋設されるインサート部（第１インサート部）２１と、ハウジング１０の面１０ａから突出した突出部（第１突出部）２２とを有している。なお、ピンコンタクト２０はハウジング１０にインサート成形で固定されているので、ハウジング１０とピンコンタクト２０との間に水滴が浸入しない。また、ピンコンタクト２０の突出部２２とは反対側の端部が、図４に示すように、ハウジング１０から突出しており、当該端部には接続端子２３がかしめ固定されている。
【００２２】
スリーブコンタクト３０は、図２及び図３に示すように、インサート成形によってハウジング１０の内部に埋設されるインサート部（第２インサート部）３１と、ハウジング１０の面１０ａから突出した２つの突出部（第２突出部）３２とを有している。なお、スリーブコンタクト３０もハウジング１０にインサート成形で固定されているので、ハウジング１０とスリーブコンタクト３０との間に水滴が浸入しない。また、スリーブコンタクト３０の突出部３２とは反対側の端部が、図４に示すように、ハウジング１０から突出している。この突出部分は接続端子を兼ねている。
【００２３】
２つの突出部３２は、面１０ａからピンコンタクト２０の突出部２２と同方向に突出し且つ突出部２２と離隔して配置されている。また、２つの突出部３２は、突出部２２を挟む位置であって水平方向に沿って互いに対向する位置に配置されている。突出部３２には、面１０ａからの突出方向とは逆方向にその途中部位が折り曲げられてなる弾性片３２ａが形成されている。弾性片３２ａは、後述のようにプラグコネクタ１１０のプラグ１１１の外周面（外側導体１１６）と当接することによってその外周面をピンコンタクト２０に近づく方向に付勢する。また、弾性片３２ａの先端近傍には頂部がピンコンタクト２０に最も近づくように湾曲した湾曲部３２ｂが形成されている。
【００２４】
カバーハウジング４０は、図２に示すように、四角筒状の本体４１と、本体４１の溝１１と対向する位置から水平に突出した４つの突出部４２と、本体４１のハウジング１０とは反対側の面４１ａから水平に突出した円筒部４３とを有している。
【００２５】
突出部４２には、その厚み方向に貫通した貫通部４２ａが形成されている。この貫通部４２ａには、カバーハウジング４０とハウジング１０とを組み付けたときに突起１２が入り込み、突出部４２と突起１２とが係合する。これによって、両ハウジング１０，４０が互いに固定される。
【００２６】
本体４１は、図４及び図５に示すように、円筒部４３の内周面４３ａと連なり水平に延在した内周面４１ｃを有している。そして、両ハウジング１０，４０が互いに固定されたときに、これら内周面４１ｃ，４３ａ及び面１０ａによって、プラグコネクタ１１０のプラグ１１１を嵌合可能な嵌合凹部４５が構成される。内周面４１ｃには、両ハウジング１０，４０を互いに固定するときに、弾性片３２ａが内周面４１ｃよりも内側に突出した状態でスリーブコンタクト３０の突出部３２がそれぞれ配置される２つの溝４９が形成されている。このように突出部３２が配置される溝４９がカバーハウジング４０に設けられていることで、カバーハウジング４０の図５中上下方向（ジャックコネクタ１が筐体１００に取り付けられたときにおいては水平方向）の幅を小さくすることが可能となる。そのため、カバーハウジング４０を小型化することができる。また、２つの溝４９は、２つの突出部３２と同様に、水平方向に沿って互いに対向する位置に配置されているので、嵌合凹部４５内に水滴が浸入しても溝４９に水滴が溜まりにくくなる。
【００２７】
また、本体部４１の面１０ａと対向する面４１ｂには、図４及び図５に示すように、溝１５と対向する位置に形成された環状の溝４７と、スリーブコンタクト３０の突出部３２の内側において２つの溝４９を繋ぐように延在した２つの段差部４８とが形成されている。溝４７は、両ハウジング１０，４０が互いに固定されたときに溝１５との間でシール部材１６を押圧する。これにより、嵌合凹部４５内に浸入した水滴がハウジング１０とカバーハウジング４０との間からジャックコネクタ１を取り付けた筐体内に浸入するのを防止することができる。
【００２８】
円筒部４３の先端には環状フランジ４４が形成されている。そして、円筒部４３の外周面４３ｂには、図４及び図５に示すように、環状フランジ４４と面４１ａとに挟まれた環状のシール部材（第３シール部材）４６が設けられている。シール部材４６はゴムなどの弾性材料からなり、外周面及び内周面のそれぞれには３つの環状の膨出部４６ａが形成されている。これら膨出部４６ａは、ジャックコネクタ１が筐体１００に取り付けられたときに、筐体１００と外周面４３ｂとによって押圧される。これにより、筐体１００とジャックコネクタ１との間から筐体内に水滴が浸入するのを防止することができる。
【００２９】
嵌合凹部４５の底面、すなわち面１０ａには、環状のシール部材５０が設けられている。シール部材５０はゴムなどの弾性材料からなり、中央にピンコンタクト２０の突出部２２を通す貫通孔５１が形成された略円板形状を有している。シール部材５０は、スリーブコンタクト３０の突出部３２間に配置されており、その外周端部がハウジング１０の面１０ａと段差部４８の段差面４８ａとの間に挟まれている。これにより、シール部材５０が嵌合凹部４５から抜け落ちにくくなる。また、シール部材５０の内周端部（環状領域）には、頂部が突出部２２を取り囲むように連なった環状の膨出部５２が形成されている。
【００３０】
次に、ジャックコネクタ１の嵌合凹部４５にプラグコネクタ１１０のプラグ１１１を嵌合したときの状況について図６を参照しつつ以下に説明する。図６は、ジャックコネクタとプラグコネクタとの嵌合状況を示す断面図である。
【００３１】
プラグコネクタ１１０は、図６に示すように、公知のＤＣプラグコネクタであり、内部導体を絶縁被覆するモールド部１１２と、モールド部１１２から突出したプラグ１１１とを有している。プラグ１１１は、ピンコンタクト２０の突出部２２を嵌合可能な凹部１１３が形成された絶縁部材１１４と、凹部１１３の開口近傍においてピンコンタクト２０と接触可能に配置された内側導体１１５と、絶縁部材１１４の外周部分に配置された外側導体１１６とを有している。内側導体１１５と外側導体１１６との間には絶縁部材１１４が配置されており、両者が相互に絶縁されている。また、外側導体１１６の先端近傍には、嵌合凹部４５にプラグ１１１が嵌合されたときにスリーブコンタクト３０の湾曲部３２ｂが係合する窪み１１７が形成されている。窪み１１７は、プラグ１１１の外周に沿って環状に形成されている。なお、内側導体１１５には、電源電圧が供給され、外側導体１１６には接地電圧が供給されている。
【００３２】
ジャックコネクタ１の嵌合凹部４５にプラグ１１１を嵌合させると、ピンコンタクト２０が凹部１１３に嵌合しピンコンタクト２０と内側導体１１５とが接触する。このとき、スリーブコンタクト３０の湾曲部３２ｂが窪み１１７と係合しスリーブコンタクト３０と外側導体１１６とが接触する。こうして、ピンコンタクト２０と内側導体１１５、及び、スリーブコンタクト３０と外側導体１１６がそれぞれ電気的に接続される。
【００３３】
また、このとき、シール部材５０の膨出部５２がプラグ１１１の先端面（絶縁部材１１４の先端面）１１１ａと面１０ａとの間において両者に押圧される。すなわち、先端面１１１ａがシール部材５０の膨出部５２を面１０ａに向かって押圧し、膨出部５２が先端面１１１ａによる押圧によって、図４及び図５に示す状態から図６に示すように押し潰される。
【００３４】
また、このとき、プラグ１１１が膨出部５２の復元力によって挿入方向とは逆方向に押し戻され抜けようとするが、弾性片３２ａの付勢力によってプラグ１１１が抜けないように保持される。さらに、プラグ１１１の窪み１１７とスリーブコンタクト３０の湾曲部３２ｂとが係合しているので、プラグ１１１がより抜けにくくなる。
【００３５】
これにより、プラグ１１１が嵌合凹部４５に嵌合されたときに、シール部材５０の膨出部５２（環状領域）がプラグ１１１の先端面１１１ａと面１０ａとに押圧されるので、嵌合凹部内においてピンコンタクト２０とスリーブコンタクト３０との間をシールすることができる。
【００３６】
以上のように、本実施形態によると、プラグコネクタ１１０のプラグ１１１が嵌合凹部４５に嵌合されたときに、ピンコンタクト２０とスリーブコンタクト３０との間をシールすることができるので、嵌合凹部４５内に水滴が浸入しても両コンタクト２０，３０の短絡を防ぐことができる。
【００３７】
シール部材５０の内周端部（環状領域）に膨出部５２が形成されているので、プラグ１１１が嵌合凹部４５に嵌合されたときに、シール部材５０と先端面１１１ａ及び面１０ａとの密着力が向上する。このため、ピンコンタクト２０とスリーブコンタクト３０との間のシール性が向上する。
【００３８】
また、スリーブコンタクト３０の突出部３２が２つ形成されているので、プラグコネクタ１１０に対する弾性片３２ａによる付勢力を維持したまま突出部３２の形状を比較的小さくすることが可能となる。そのため、ジャックコネクタ１自体を小さくすることが可能となる。
【００３９】
続いて、本発明の第２実施形態によるジャックコネクタ２０１について以下に説明する。図７は、本発明の第２実施形態によるジャックコネクタとプラグコネクタとの嵌合状況を示す断面図である。なお、図７においては、第１実施形態の図５と同様に、ジャックコネクタをピンコンタクトの軸周り方向に９０°回転させたときの断面を示している。
【００４０】
本実施形態のジャックコネクタ２０１は、第１実施形態のシール部材５０に代えてシール部材２５０を有しており、このシール部材２５０を有することによってハウジング２１０及びカバーハウジング２４０の本体２４１の形状が第１実施形態のハウジング１０及び本体４１と若干異なっている。これら以外は第１実施形態のジャックコネクタ１とほぼ同様である。なお、第１実施形態と同様なものに関しては、同符号で示し説明を省略する。
【００４１】
ハウジング２１０は、第１実施形態のハウジング１０とほぼ同様な形状を有しているが、図７に示すように、カバーハウジング２４０と対向する面（一表面）２１０ａには突出部２１１が形成されている。突出部２１１は、ピンコンタクト２０と２つのスリーブコンタクト３０との間に形成されている。突出部２１１には、ピンコンタクト２０の周囲近傍に凹部２１２が形成されている。凹部２１２内には、環状のシール部材２５０が配置されている。
【００４２】
シール部材２５０は、第１実施形態のシール部材５０と同様の弾性材料からなり、シール部材４６よりも一回り小さく形成されている。シール部材２５０の内周端部（環状領域）には、頂部が突出部２２を取り囲むように連なった２つの環状の膨出部２５２が形成されている。なお、この膨出部２５２の頂部は内周面４１ｃよりも内側に突出して配置されている。また、シール部材２５０の外周端部（環状領域）にも内周端部と同様な２つの環状の膨出部２５２が形成されているが、膨出部２５２はシール部材２５０の内周端部だけに形成されていてもよい。また、シール部材２５０は、その外周端部に形成された膨出部２５２の頂部が凹部２１２の内周面２１２ａに接するように配置されている。
【００４３】
カバーハウジング２４０の本体２４１には、第１実施形態の段差面４８ａの代わりに、両ハウジング２１０，２４０を固定したときに、突出部２１１の先端面と接触する段差面２４８が形成されている。なお、シール部材２５０は、両ハウジング２１０，２４０を固定したときに、段差面２４８と凹部２１２の底面とに挟まれている。また、本体２４１には、第１実施形態の溝４９よりも水平方向に短くなった２つの溝２４９が形成されている。なお、溝２４９内にも、第１実施形態と同様に、両ハウジング２１０，２４０を固定したときにスリーブコンタクト３０の突出部３２がそれぞれ配置される。
【００４４】
次に、ジャックコネクタ２０１の嵌合凹部２４５にプラグコネクタ１１０のプラグ１１１を嵌合したときの状況について以下に説明する。なお、嵌合凹部２４５は、嵌合凹部４５の底面１０ａが突出部２１１の先端面及び凹部２１２の内面に代わっただけでそれ以外は嵌合凹部４５とほぼ同様である。
【００４５】
ジャックコネクタ２０１の嵌合凹部２４５にプラグ１１１を嵌合させると、第１実施形態と同様に、ピンコンタクト２０が凹部１１３に嵌合しピンコンタクト２０と内側導体１１５とが接触する。このとき、スリーブコンタクト３０の湾曲部３２ｂが窪み１１７と係合しスリーブコンタクト３０と外側導体１１６とが接触する。こうして、ピンコンタクト２０と内側導体１１５、及び、スリーブコンタクト３０と外側導体１１６がそれぞれ電気的に接続される。
【００４６】
また、このとき、シール部材２５０がプラグ１１１の先端外周面（絶縁部材１１４の先端外周面）１１１ｂと内周面２１２ａとの間において両者に押圧される。すなわち、先端外周面１１１ｂがシール部材２５０の内周端部の膨出部２５２の頂部と接触し、シール部材２５０を内周面２１２ａに向かって押圧する。このように第２実施形態においても、プラグ１１１が嵌合凹部２４５に嵌合されたときに、シール部材２５０の膨出部２５２（環状領域）がプラグ１１１の先端外周面１１１ｂと内周面２１２ａとに押圧されるので、嵌合凹部内においてピンコンタクト２０とスリーブコンタクト３０との間をシールすることができる。そのため、プラグコネクタ１１０をジャックコネクタ２０１に嵌合するときに、嵌合凹部２４５内に水滴が浸入してもピンコンタクト２０とスリーブコンタクト３０とが導通して短絡するのを防ぐことができる。また、シール部材２５０の復元力は、プラグ１１１の挿入方向と直交する方向に働くので、シール部材２５０の復元力によってプラグ１１１が挿入方向とは逆方向に押し戻されず、逆に抜けないような力としてプラグ１１１に働く。そのため、第１実施形態と比して、プラグコネクタ１１０が嵌合凹部２４５から抜けにくくなる。なお、第１実施形態と同様な構成においては、同様な効果を得ることができる。
【００４７】
以上、本発明の好適な実施の形態について説明したが、本発明は上述の実施形態に限られるものではなく、特許請求の範囲に記載した限りにおいて様々な変更が可能なものである。例えば、上述の第１及び第２実施形態においては、シール部材５０，２５０がプラグ１１１の先端面１１１又は先端外周面１１１ｂと嵌合凹部４５，２４５との間において両者に押圧されているが、シール部材がプラグの先端角部と嵌合凹部４５，２４５との間において両者に押圧されていてもよい。すなわち、シール部材はプラグの先端部と嵌合凹部との間において両者によって押圧されていればよい。なお、プラグの先端部は、先端面１１１から外側導体１１６の先端までの間である。
【００４８】
また、各実施形態においては、シール部材５０，２５０に膨出部５２，２５２が形成されているが、シール部材５０，２５０に膨出部が形成されていなくてもよい。また、シール部材１６，４６が設けられていなくてもよい。また、嵌合凹部４５，２４５にプラグ１１１が嵌合されたときに、外側導体１１６とスリーブコンタクト３０の突出部３２とが接触可能であれば、スリーブコンタクト３０に弾性片３２ａが形成されていなくてもよい。また、スリーブコンタクト３０は、突出部３２を１つだけ有していてもよい。また、カバーハウジング４０，２４０には、溝４９，２４９が形成されていなくてもよい。また、２つの突出部３２と２つの溝４９，２４９が、ピンコンタクト２０の突出方向と直交する方向であって水平方向を除く方向に互いに対向する位置に配置されていてもよい。また、第１実施形態においては、シール部材５０の外周端部がハウジング１０の面１０ａと段差面４８ａとの間に挟まれていなくてもよい。この場合、段差部４８自体を設けていなくてもよい。
【図面の簡単な説明】
【００４９】
【図１】本発明の第１実施形態によるジャックコネクタの外観斜視図である。
【図２】図１に示すカバーハウジングとハウジングとを分離したときの斜視図である。
【図３】図１に示すジャックコネクタの分解斜視図である。
【図４】図１に示すジャックコネクタの断面図である。
【図５】図１に示すジャックコネクタをピンコンタクトの軸周り方向に９０°回転させたときの断面図である。
【図６】ジャックコネクタとプラグコネクタとの嵌合状況を示す断面図である。
【図７】本発明の第２実施形態によるジャックコネクタとプラグコネクタとの嵌合状況を示す断面図である。
【符号の説明】
【００５０】
１，２０１  ジャックコネクタ
１０，２１０  ハウジング
１０ａ，２１０ａ  面（一表面）
１６  シール部材（第２シール部材）
２０  ピンコンタクト（第１端子）
２１  インサート部（第１インサート部）
２２  突出部（第１突出部）
３０  スリーブコンタクト（第２端子）
３１  インサート部（第２インサート部）
３２  突出部（第２突出部）
３２ａ  弾性片
４０，２４０  カバーハウジング
４１ｃ  内周面
４３ｂ  外周面
４５，２４５  嵌合凹部
４６  シール部材（第３シール部材）
４８ａ  段差面
４９，２４９  溝
５０，２５０  シール部材（第１シール部材）
５２，２５２  膨出部
１１０  プラグコネクタ
１１１  プラグ
１１１ａ  先端面
１１１ｂ  外周面
【図１】
2010003442.tif 000003
【図２】
2010003442.tif 000004
【図３】
2010003442.tif 000005
【図４】
2010003442.tif 000006
【図５】
2010003442.tif 000007
【図６】
2010003442.tif 000008
【図７】
2010003442.tif 000009